(57)【要約】【課題】  組み立て精度の高い箱体を簡単に且つ速やかに形成することのできる振動減衰装置を提供すること。【解決手段】  振動減衰装置としての制震壁１は、上部２で開口している箱体３と、箱体３を建物壁における下支持手段４に固定する下部固定手段５と、箱体３に対して隙間６をもって当該箱体３内に配されている抵抗力発生部７を有している抵抗板８と、抵抗板８を建物壁における上支持手段９に固定する上部固定手段１０と、箱体３と抵抗板８との隙間６に充填された粘性体１１とを具備している。【選択図】図１
2005133855.tif 000002
【特許請求の範囲】
【請求項１】
上部で開口している少なくとも一個の箱体と、箱体に対して隙間をもって当該箱体内に配されている抵抗力発生部を有している少なくとも一枚の抵抗板と、箱体と抵抗板との隙間に充填された粘性体とを具備しており、箱体は、互いに対向している一対の広幅側壁板と、一対の広幅側壁板の夫々の横方向における一方側の内側面に当接している当接面を有している一方の狭幅側壁板と、横方向で一方の狭幅側壁板に対向していると共に一対の広幅側壁板の夫々の横方向における他方側の内側面に当接している当接面を有している他方の狭幅側壁板と、一対の広幅側壁板の夫々の下方側の内側面に当接している当接面を有している底壁板と、一対の狭幅側壁板及び底壁板を一対の広幅側壁板に固定している固定手段とを具備しており、固定手段は、一対の広幅側壁板により一方の狭幅側壁板を挟圧する挟圧力、一対の広幅側壁板により他方の狭幅側壁板を挟圧する挟圧力及び一対の広幅側壁板により底壁板を挟圧する挟圧力のうちの少なくとも一つの挟圧力を生じさせるように、一方の狭幅側壁板、他方の狭幅側壁板及び底壁板の少なくとも一つと一対の広幅側壁板とを共締めする共締め手段を具備しており、共締め手段による共締めにより一方の狭幅側壁板、他方の狭幅側壁板及び底壁板のうちの少なくとも一つを一対の広幅側壁板に固定するようになっている振動減衰装置。
【請求項２】
共締め手段は、一方の広幅側壁板の横方向における一方側の内側面により一方の狭幅側壁板の当接面を押圧する押圧力と他方の広幅側壁板の横方向における一方側の内側面により一方の狭幅側壁板の当接面を押圧する押圧力とを生じさせるように、一対の広幅側壁板及び一方の狭幅側壁板を共締めする共締め機構を具備しており、この共締め機構による共締めによって生じる押圧力の夫々に基づいて一対の広幅側壁板による一方の狭幅側壁板の挟圧力を生じさせるようになっている請求項１に記載の振動減衰装置。
【請求項３】
共締め手段は、一方の広幅側壁板の横方向における他方側の内側面により他方の狭幅側壁板の当接面を押圧する押圧力と他方の広幅側壁板の横方向における他方側の内側面により他方の狭幅側壁板の当接面を押圧する押圧力とを生じさせるように、一対の広幅側壁板及び他方の狭幅側壁板を共締めする共締め機構を具備しており、この共締め機構による共締めによって生じる押圧力の夫々に基づいて一対の広幅側壁板による他方の狭幅側壁板の挟圧力を生じさせるようになっている請求項１又は２に記載の振動減衰装置。
【請求項４】
共締め手段は、一方の広幅側壁板の下方側の内側面により底壁板の当接面を押圧する押圧力と他方の広幅側壁板の下方側の内側面により底壁板の当接面を押圧する押圧力とを生じさせるように、一対の広幅側壁板及び底壁板を共締めする共締め機構を具備しており、この共締め機構による共締めによって生じる押圧力の夫々に基づいて一対の広幅側壁板による底壁板の挟圧力を生じさせるようになっている請求項１から３のいずれか一項に記載の振動減衰装置。
【請求項５】
共締め手段は、少なくとも一つのボルトと、ボルトに螺合している少なくとも一つのナットとを具備しており、ボルト及びナットの相対的な回転に基づいて共締め及び共締めの解除を行うようになっている請求項１から４のいずれか一項に記載の振動減衰装置。
【請求項６】
一方の狭幅側壁板は、縦長の板状本体を具備しており、この縦長の板状本体は、一対の広幅側壁板の夫々の一方側の内側面に当接する当接面を有している部位と、この部位に連接していると共に一対の広幅側壁板の間から横方向に突出している突出部とを具備している請求項１から５のいずれか一項に記載の振動減衰装置。
【請求項７】
他方の狭幅側壁板は、縦長の板状本体を具備しており、この縦長の板状本体は、一対の広幅側壁板の夫々の他方側の内側面に当接する当接面を有している部位と、この部位に連接していると共に一対の広幅側壁板の間から横方向に突出している突出部とを具備している請求項１から６のいずれか一項に記載の振動減衰装置。
【請求項８】
狭幅側壁板は、広幅側壁板よりも下方に突出している請求項１から７のいずれか一項に記載の振動減衰装置。
【請求項９】
狭幅側壁板の下面は、底壁板の下面と面一である請求項１から８のいずれか一項に記載の振動減衰装置。
【請求項１０】
底壁板は、横長の板状本体を具備しており、この横長の板状本体は、一対の広幅側壁板の夫々の下方側の内側面に当接する当接面を有している部位と、この部位に連接していると共に一対の広幅側壁板の間から下方に突出している突出部とを具備している請求項１から９のいずれか一項に記載の振動減衰装置。
【請求項１１】
底壁板の横方向における一方の端面は、一方の狭幅側壁板の他方の狭幅側壁板側における端面の下部に接触しており、底壁板の横方向における他方の端面は、他方の狭幅側壁板の一方の狭幅側壁板側における端面の下部に接触している請求項１から１０のいずれか一項に記載の振動減衰装置。
【請求項１２】
一対の広幅側壁板の対向方向で互いに隣接している複数個の箱体と、抵抗力発生部が複数個の箱体内に隙間をもって夫々配されている複数枚の抵抗板とを具備しており、互いに隣接している箱体は、一の抵抗板の抵抗力発生部が配されている一の箱体内の空間を一方の側面で規定していると共に他の一の抵抗板の抵抗力発生部が配されている他の一の箱体内の空間を他方の側面で規定している一枚の広幅側壁板を共有している請求項１から１１のいずれか一項に記載の振動減衰装置。
【請求項１３】
箱体を建物壁における下支持手段に固定する下部固定手段を具備しており、下部固定手段は、下支持手段に固着された下ガセットプレートを具備しており、一対の狭幅側壁板及び底壁板の少なくとも一つを下ガセットプレートに固定するようになっている請求項１から１２のいずれか一項に記載の振動減衰装置。
【請求項１４】
底壁板は、その当接面を有している部位に連接していると共に一対の広幅側壁板の間から下方に突出している突出部を具備しており、この突出部は、下ガセットプレートに対して略同一鉛直面内に配されている底壁板側ガセットプレート部として構成されており、下部固定手段は、底壁板側ガセットプレート部及び下ガセットプレートの夫々に対面して配された底壁板支持用スプライスプレート手段と、底壁板支持用スプライスプレート手段を底壁板側ガセットプレート部及び下ガセットプレートに共締めする底壁板支持用の共締め機構とを具備している請求項１３に記載の振動減衰装置。
【請求項１５】
底壁板支持用スプライスプレート手段は、底壁板支持用の共締め機構により底壁板側ガセットプレート部及び下ガセットプレートの夫々に少なくとも一面摩擦接合されて共締めされている請求項１４に記載の振動減衰装置。
【請求項１６】
底壁板支持用スプライスプレート手段は、底壁板側ガセットプレート部及び下ガセットプレートの夫々を間にして挟持する少なくとも一対のスプライスプレートを具備しており、一対のスプライスプレートは、底壁板支持用の共締め機構により底壁板側ガセットプレート部及び下ガセットプレートの夫々を挟圧している請求項１４又は１５に記載の振動減衰装置。
【請求項１７】
底壁板支持用スプライスプレート手段のスプライスプレートは、底壁板側ガセットプレート部及び下ガセットプレートの夫々に対面する面に高摩擦面を有した高摩擦鋼板からなる請求項１６に記載の振動減衰装置。
【請求項１８】
一方の狭幅側壁板は、その当接面を有している部位に連接していると共に一対の広幅側壁板から横方向に突出している突出部を具備しており、他方の狭幅側壁板は、その当接面を有している部位に連接していると共に一対の広幅側壁板から横方向に突出している突出部を具備しており、これらの突出部の下部は、下ガセットプレートに対して略同一鉛直面内に夫々配されている狭幅側壁板側ガセットプレート部として夫々構成されており、下部固定手段は、一方の狭幅側壁板側ガセットプレート部及び下ガセットプレートの夫々に対面して配された一方の狭幅側壁板支持用スプライスプレート手段と、水平方向で一方の狭幅側壁板支持用スプライスプレート手段に対向していると共に、他方の狭幅側壁板側ガセットプレート部及び下ガセットプレートの夫々に対面して配された他方の狭幅側壁板支持用スプライスプレート手段と、一対の狭幅側壁板支持用スプライスプレート手段の夫々を一対の狭幅側壁板側ガセットプレート部及び下ガセットプレートに共締めする狭幅側壁板支持用の共締め機構とを具備している請求項１３から１７のいずれか一項に記載の振動減衰装置。
【請求項１９】
一方の狭幅側壁板は、その当接面を有している部位に連接していると共に一対の広幅側壁板から横方向に突出している突出部を具備しており、他方の狭幅側壁板は、その当接面を有している部位に連接していると共に一対の広幅側壁板から横方向に突出している突出部を具備しており、これらの突出部の下部は、下ガセットプレートに対して略同一鉛直面内に夫々配されている狭幅側壁板側ガセットプレート部として夫々構成されており、下部固定手段は、一方の狭幅側壁板側ガセットプレート部及び下ガセットプレートの夫々に対面して配された一方の狭幅側壁板支持用スプライスプレート手段と、水平方向で一方の狭幅側壁板支持用スプライスプレート手段に対向していると共に、他方の狭幅側壁板側ガセットプレート部及び下ガセットプレートの夫々に対面して配された他方の狭幅側壁板支持用スプライスプレート手段と、一対の狭幅側壁板支持用スプライスプレート手段の夫々を一対の狭幅側壁板側ガセットプレート部及び下ガセットプレートに共締めする狭幅側壁板支持用の共締め機構とを具備しており、一対の狭幅側壁板支持用スプライスプレート手段の間には、底壁板支持用スプライスプレート手段が配されており、一対の狭幅側壁板支持用スプライスプレート手段の夫々は、主として箱体の鉛直面内の曲げモーメントに抗するようになっており、底壁板支持用スプライスプレート手段は、主として箱体の水平方向力に抗するようになっている請求項１４から１７のいずれか一項に記載の振動減衰装置。
【請求項２０】
一対の狭幅側壁板支持用スプライスプレート手段及び底壁板支持用スプライスプレート支持手段は、夫々互いに離間して水平方向に配列されている請求項１９に記載の振動減衰装置。
【請求項２１】
狭幅側壁板支持用スプライスプレート手段は、狭幅側壁板支持用の共締め機構により狭幅側壁板側ガセットプレート部及び下ガセットプレートの夫々に少なくとも一面摩擦接合されて共締めされている請求項１８から２０のいずれか一項に記載の振動減衰装置。
【請求項２２】
狭幅側壁板支持用スプライスプレート手段は、狭幅側壁板側ガセットプレート部及び下ガセットプレートの夫々を間にして挟持する少なくとも一対のスプライスプレートを夫々具備しており、一対のスプライスプレートは、狭幅側壁板支持用の共締め機構により狭幅側壁板側ガセットプレート部及び下ガセットプレートの夫々を挟圧している請求項１８から２１のいずれか一項に記載の振動減衰装置。
【請求項２３】
一対の狭幅側壁板支持用スプライスプレート手段の夫々のスプライスプレートは、狭幅側壁板側ガセットプレート部及び下ガセットプレートの夫々に対面する面に高摩擦面を有した高摩擦鋼板からなる請求項２２に記載の振動減衰装置。
【請求項２４】
抵抗板を建物壁における上支持手段に固定する上部固定手段を具備しており、抵抗板は、抵抗力発生部に連接していると共に箱体の外側に配されている抵抗板側ガセットプレート部を具備しており、上部固定手段は、抵抗板側ガセットプレート部に対して略同一鉛直面内に配されると共に、上支持手段に固着された上ガセットプレートと、抵抗板側ガセットプレート部及び上ガセットプレートの夫々に対面して配された抵抗板支持用スプライスプレート手段と、この抵抗板支持用スプライスプレート手段を底壁板側ガセットプレート部及び上ガセットプレートに共締めする抵抗板支持用の共締め機構とを具備している請求項１から２３のいずれか一項に記載の振動減衰装置。
【請求項２５】
抵抗板支持用スプライスプレート手段は、抵抗板支持用の共締め機構により抵抗板側ガセットプレート部及び上ガセットプレートの夫々に少なくとも一面摩擦接合されて共締めされている請求項２４に記載の振動減衰装置。
【請求項２６】
抵抗板支持用スプライスプレート手段は、抵抗板側ガセットプレート部及び上ガセットプレートの夫々を間にして挟持する少なくとも一対の抵抗板支持用スプライスプレートを具備しており、この一対の抵抗板支持用スプライスプレートは、抵抗板支持用の共締め機構により上ガセットプレート及び抵抗板側ガセットプレート部の夫々を挟圧している請求項２４又は２５に記載の振動減衰装置。
【請求項２７】
抵抗板支持用スプライスプレート手段は、水平方向に並置されていると共に、夫々抵抗板側ガセットプレート部と上ガセットプレートとをその両側面から挟持した複数枚の抵抗板支持用スプライスプレートを具備しており、抵抗板支持用スプライスプレートは、抵抗板側ガセットプレート部及び上ガセットプレートに抵抗板支持用の共締め機構により共締めされている請求項２４又は２５に記載の振動減衰装置。
【請求項２８】
複数枚の抵抗板支持用スプライスプレートは、夫々互いに離間して水平方向に配列されており、水平方向両端の抵抗板支持用スプライスプレートの夫々は、主として抵抗板の鉛直面内の曲げモーメントに抗するようになっており、水平方向両端の抵抗板支持用スプライスプレートの間に配された抵抗板支持用スプライスプレートは、主として抵抗板の水平方向力に抗するようになっている請求項２７に記載の振動減衰装置。
【請求項２９】
抵抗板支持用スプライスプレートの夫々は、抵抗板側ガセットプレート部及び上ガセットプレートの夫々に対面する面に高摩擦面を有した高摩擦鋼板からなる請求項２６から２８のいずれか一項に記載の振動減衰装置。
【請求項３０】
共締め機構の夫々は、少なくとも一つの高力ボルトと、高力ボルトに螺合している少なくとも一つのナットとを具備しており、高力ボルト及びナットの相対的な回転に基づいて共締め及び共締めの解除を行うようになっている請求項１４から２９のいずれか一項に記載の振動減衰装置。
【発明の詳細な説明】
【技術分野】
【０００１】
本発明は、事務所用のビル、集合住宅、戸建住宅の建物の壁、特にこれらの建物に生じる地震や風、交通振動等に基づく振動を減衰させる制震壁やブレース型ダンパ等からなる振動減衰装置に関する。
【背景技術】
【０００２】
【特許文献１】特開２００１−２９５４９６号公報
【０００３】
この種の振動減衰装置としては、例えば、下梁及び上梁と、上部に開口を有して、下部で下梁に固定された箱体（粘性体容器）と、この箱体内に配されていると共に上部で上梁に固定された抵抗板と、箱体と抵抗板との間の隙間に充填された粘性体とを具備しており、地震や風、交通振動等に基づく振動に際して、下梁に対する上梁の相対的水平変位に基づく箱体と抵抗板との間の同じく相対的水平変位において箱体内に収容された粘性体に粘性剪断変形を生じさせて、この粘性剪断変形による減衰力により地震や風、交通振動等に基づく振動を減衰させる制震壁からなる振動減衰装置が特許文献１において提案されている。このような振動減衰装置では、箱体を側壁板及び底壁板等の溶接のみにより一体的に固定して箱体を構成しているものと考えられる。
【発明の開示】
【発明が解決しようとする課題】
【０００４】
しかしながら、斯かる振動減衰装置では、箱体を側壁板等の溶接のみにより一体的に固定するために、箱体の構成部材である側壁板や底壁板の相互間における位置決めを精度よく行うのが困難であり、而して、組み立て精度の高い箱体を簡単に得ることは困難である。一方、溶接固定して組み立てた箱体の分解及び再度の組み立ては極めて困難であることから箱体の組み立てに慎重を期す必要があり、従って、箱体の組み立てを速やかに行うこともまた困難である。
【０００５】
本発明は、前記諸点に鑑みてなされたものであって、その目的とするところは、組み立て精度の高い箱体を簡単に且つ速やかに形成することのできる振動減衰装置を提供することにある。
【課題を解決するための手段】
【０００６】
本発明の第一の態様の振動減衰装置は、上部で開口している少なくとも一個の箱体と、箱体に対して隙間をもって当該箱体内に配されている抵抗力発生部を有している少なくとも一枚の抵抗板と、箱体と抵抗板との隙間に充填された粘性体とを具備しており、箱体は、互いに対向している一対の広幅側壁板と、一対の広幅側壁板の夫々の横方向における一方側の内側面に当接している当接面を有している一方の狭幅側壁板と、横方向で一方の狭幅側壁板に対向していると共に一対の広幅側壁板の夫々の横方向における他方側の内側面に当接している当接面を有している他方の狭幅側壁板と、一対の広幅側壁板の夫々の下方側の内側面に当接している当接面を有している底壁板と、一対の狭幅側壁板及び底壁板を一対の広幅側壁板に固定している固定手段とを具備しており、固定手段は、一対の広幅側壁板により一方の狭幅側壁板を挟圧する挟圧力、一対の広幅側壁板により他方の狭幅側壁板を挟圧する挟圧力及び一対の広幅側壁板により底壁板を挟圧する挟圧力のうちの少なくとも一つの挟圧力を生じさせるように、一方の狭幅側壁板、他方の狭幅側壁板及び底壁板の少なくとも一つと一対の広幅側壁板とを共締めする共締め手段を具備しており、共締め手段による共締めにより一方の狭幅側壁板、他方の狭幅側壁板及び底壁板のうちの少なくとも一つを一対の広幅側壁板に固定するようになっている。
【０００７】
第一の態様の振動減衰装置によれば、上述の構成を具備しているために、共締め手段による共締めによって挟圧力を生じさせて一対の広幅側壁板に狭幅側壁板及び底壁板を固定して箱体を組み立てることができ、而して、組み立て精度の高い箱体を簡単に且つ速やかに形成することができる。
【０００８】
本発明の第二の態様の振動減衰装置では、第一の態様の振動減衰装置において、共締め手段は、一方の広幅側壁板の横方向における一方側の内側面により一方の狭幅側壁板の当接面を押圧する押圧力と他方の広幅側壁板の横方向における一方側の内側面により一方の狭幅側壁板の当接面を押圧する押圧力とを生じさせるように、一対の広幅側壁板及び一方の狭幅側壁板を共締めする共締め機構を具備しており、この共締め機構による共締めによって生じる押圧力の夫々に基づいて一対の広幅側壁板による一方の狭幅側壁板の挟圧力を生じさせるようになっている。
【０００９】
本発明の第三の態様の振動減衰装置では、第一又は第二の態様の振動減衰装置において、共締め手段は、一方の広幅側壁板の横方向における他方側の内側面により他方の狭幅側壁板の当接面を押圧する押圧力と他方の広幅側壁板の横方向における他方側の内側面により他方の狭幅側壁板の当接面を押圧する押圧力とを生じさせるように、一対の広幅側壁板及び他方の狭幅側壁板を共締めする共締め機構を具備しており、この共締め機構による共締めによって生じる押圧力の夫々に基づいて一対の広幅側壁板による他方の狭幅側壁板の挟圧力を生じさせるようになっている。
【００１０】
本発明の第四の態様の振動減衰装置では、第一から第三のいずれかの態様の振動減衰装置において、共締め手段は、一方の広幅側壁板の下方側の内側面により底壁板の当接面を押圧する押圧力と他方の広幅側壁板の下方側の内側面により底壁板の当接面を押圧する押圧力とを生じさせるように、一対の広幅側壁板及び底壁板を共締めする共締め機構を具備しており、この共締め機構による共締めによって生じる押圧力の夫々に基づいて一対の広幅側壁板による底壁板の挟圧力を生じさせるようになっている。
【００１１】
本発明の第五の態様の振動減衰装置では、第一から第四のいずれかの態様の振動減衰装置において、共締め手段は、少なくとも一つのボルトと、ボルトに螺合している少なくとも一つのナットとを具備しており、ボルト及びナットの相対的な回転に基づいて共締め及び共締めの解除を行うようになっている。
【００１２】
第五の態様の振動減衰装置によれば、上述の構成を具備しているために、ボルト及びナットの相対的な回転により所望の挟圧力をもって一対の広幅側壁板に狭幅側壁板や底壁板を簡単且つ速やかに解除自在に固定することができ、また、一旦組み立てた箱体の分解及び再度の組み立ても容易に行い得る。
【００１３】
本発明の第六の態様の振動減衰装置では、第一から第五のいずれかの態様の振動減衰装置において、一方の狭幅側壁板は、縦長の板状本体を具備しており、この縦長の板状本体は、一対の広幅側壁板の夫々の一方側の内側面に当接する当接面を有している部位と、この部位に連接していると共に一対の広幅側壁板の間から横方向に突出している突出部とを具備している。
【００１４】
本発明の第七の態様の振動減衰装置では、第一から第六のいずれかの態様の振動減衰装置において、他方の狭幅側壁板は、縦長の板状本体を具備しており、この縦長の板状本体は、一対の広幅側壁板の夫々の他方側の内側面に当接する当接面を有している部位と、この部位に連接していると共に一対の広幅側壁板の間から横方向に突出している突出部とを具備している。
【００１５】
第六又は第七の態様の振動減衰装置によれば、上述の構成を具備しているために、例えば、複数の振動減衰装置を横方向に並設する場合に、一の振動減衰装置の狭幅側壁板の突出部を他の振動減衰装置の一対の広幅側壁板に挟圧させることで、これらの振動減衰装置に一枚の狭幅側壁板を共用させることができ、従って、部品数を削減して振動減衰装置を簡単な構成にし得る。
【００１６】
本発明の第八の態様の振動減衰装置では、第一から第七のいずれかの態様の振動減衰装置において、狭幅側壁板は、広幅側壁板よりも下方に突出している。
【００１７】
本発明の第九の態様の振動減衰装置では、第一から第八のいずれかの態様の振動減衰装置において、狭幅側壁板の下面は、底壁板の下面と面一である。
【００１８】
本発明の第十の態様の振動減衰装置では、第一から第九のいずれかの態様の振動減衰装置において、底壁板は、横長の板状本体を具備しており、この横長の板状本体は、一対の広幅側壁板の夫々の下方側の内側面に当接する当接面を有している部位と、この部位に連接していると共に一対の広幅側壁板の間から下方に突出している突出部とを具備している。
【００１９】
本発明の第十一の態様の振動減衰装置では、第一から第十のいずれかの態様の振動減衰装置において、底壁板の横方向における一方の端面は、一方の狭幅側壁板の他方の狭幅側壁板側における端面の下部に接触しており、底壁板の横方向における他方の端面は、他方の狭幅側壁板の一方の狭幅側壁板側における端面の下部に接触している。
【００２０】
本発明の第十二の態様の振動減衰装置では、第一から第十一のいずれかの態様の振動減衰装置において、一対の広幅側壁板の対向方向で互いに隣接している複数個の箱体と、抵抗力発生部が複数個の箱体内に隙間をもって夫々配されている複数枚の抵抗板とを具備しており、互いに隣接している箱体は、一の抵抗板の抵抗力発生部が配されている一の箱体内の空間を一方の側面で規定していると共に他の一の抵抗板の抵抗力発生部が配されている他の一の箱体内の空間を他方の側面で規定している一枚の広幅側壁板を共有している。
【００２１】
本発明の第十三の態様の振動減衰装置では、第一から第十二のいずれかの態様の振動減衰装置において、箱体を建物壁における下支持手段に固定する下部固定手段を具備しており、下部固定手段は、下支持手段に固着された下ガセットプレートを具備しており、一対の狭幅側壁板及び底壁板の少なくとも一つを下ガセットプレートに固定するようになっている。
【００２２】
本発明の第十四の態様の振動減衰装置では、第十三の態様の振動減衰装置において、底壁板は、その当接面を有している部位に連接していると共に一対の広幅側壁板の間から下方に突出している突出部を具備しており、この突出部は、下ガセットプレートに対して略同一鉛直面内に配されている底壁板側ガセットプレート部として構成されており、下部固定手段は、底壁板側ガセットプレート部及び下ガセットプレートの夫々に対面して配された底壁板支持用スプライスプレート手段と、底壁板支持用スプライスプレート手段を底壁板側ガセットプレート部及び下ガセットプレートに共締めする底壁板支持用の共締め機構とを具備している。
【００２３】
本発明の第十五の態様の振動減衰装置では、第十四の態様の振動減衰装置において、底壁板支持用スプライスプレート手段は、底壁板支持用の共締め機構により底壁板側ガセットプレート部及び下ガセットプレートの夫々に少なくとも一面摩擦接合されて共締めされている。
【００２４】
本発明の第十六の態様の振動減衰装置では、第十四又は第十五の態様の振動減衰装置において、底壁板支持用スプライスプレート手段は、底壁板側ガセットプレート部及び下ガセットプレートの夫々を間にして挟持する少なくとも一対のスプライスプレートを具備しており、一対のスプライスプレートは、底壁板支持用の共締め機構により底壁板側ガセットプレート部及び下ガセットプレートの夫々を挟圧している。
【００２５】
本発明の第十七の態様の振動減衰装置では、第十六の態様の振動減衰装置において、底壁板支持用スプライスプレート手段のスプライスプレートは、底壁板側ガセットプレート部及び下ガセットプレートの夫々に対面する面に高摩擦面を有した高摩擦鋼板からなる。
【００２６】
本発明の第十八の態様の振動減衰装置では、第十三から第十七のいずれかの態様の振動減衰装置において、一方の狭幅側壁板は、その当接面を有している部位に連接していると共に一対の広幅側壁板から横方向に突出している突出部を具備しており、他方の狭幅側壁板は、その当接面を有している部位に連接していると共に一対の広幅側壁板から横方向に突出している突出部を具備しており、これらの突出部の下部は、下ガセットプレートに対して略同一鉛直面内に夫々配されている狭幅側壁板側ガセットプレート部として夫々構成されており、下部固定手段は、一方の狭幅側壁板側ガセットプレート部及び下ガセットプレートの夫々に対面して配された一方の狭幅側壁板支持用スプライスプレート手段と、水平方向で一方の狭幅側壁板支持用スプライスプレート手段に対向していると共に、他方の狭幅側壁板側ガセットプレート部及び下ガセットプレートの夫々に対面して配された他方の狭幅側壁板支持用スプライスプレート手段と、一対の狭幅側壁板支持用スプライスプレート手段の夫々を一対の狭幅側壁板側ガセットプレート部及び下ガセットプレートに共締めする狭幅側壁板支持用の共締め機構とを具備している。
【００２７】
第十八の態様の振動減衰装置によれば、上述の構成を具備しているために、主として箱体の鉛直面内の曲げモーメントに抗する大きな抗力を生じさせることができ、従って、振動を好適に減衰させ得る。
【００２８】
本発明の第十九の態様の振動減衰装置では、第十四から第十七のいずれかの態様の振動減衰装置において、一方の狭幅側壁板は、その当接面を有している部位に連接していると共に一対の広幅側壁板から横方向に突出している突出部を具備しており、他方の狭幅側壁板は、その当接面を有している部位に連接していると共に一対の広幅側壁板から横方向に突出している突出部を具備しており、これらの突出部の下部は、下ガセットプレートに対して略同一鉛直面内に夫々配されている狭幅側壁板側ガセットプレート部として夫々構成されており、下部固定手段は、一方の狭幅側壁板側ガセットプレート部及び下ガセットプレートの夫々に対面して配された一方の狭幅側壁板支持用スプライスプレート手段と、水平方向で一方の狭幅側壁板支持用スプライスプレート手段に対向していると共に、他方の狭幅側壁板側ガセットプレート部及び下ガセットプレートの夫々に対面して配された他方の狭幅側壁板支持用スプライスプレート手段と、一対の狭幅側壁板支持用スプライスプレート手段の夫々を一対の狭幅側壁板側ガセットプレート部及び下ガセットプレートに共締めする狭幅側壁板支持用の共締め機構とを具備しており、一対の狭幅側壁板支持用スプライスプレート手段の間には、底壁板支持用スプライスプレート手段が配されており、一対の狭幅側壁板支持用スプライスプレート手段の夫々は、主として箱体の鉛直面内の曲げモーメントに抗するようになっており、底壁板支持用スプライスプレート手段は、主として箱体の水平方向力に抗するようになっている。
【００２９】
第十九の態様の振動減衰装置によれば、上述の構成を具備しているために、箱体の鉛直面内の曲げモーメントに抗する大きな抗力と箱体の水平方向力に抗する大きな抗力とを生じさせることができ、従って、振動を好適に減衰させ得る。
【００３０】
本発明の第二十の態様の振動減衰装置では、第十九の態様の振動減衰装置において、一対の狭幅側壁板支持用スプライスプレート手段及び底壁板支持用スプライスプレート支持手段は、夫々互いに離間して水平方向に配列されている。
【００３１】
本発明の第二十一の態様の振動減衰装置では、第十八から第二十のいずれかの態様の振動減衰装置において、狭幅側壁板支持用スプライスプレート手段は、狭幅側壁板支持用の共締め機構により狭幅側壁板側ガセットプレート部及び下ガセットプレートの夫々に少なくとも一面摩擦接合されて共締めされている。
【００３２】
本発明の第二十二の態様の振動減衰装置では、第十八から第二十一のいずれかの態様の振動減衰装置において、狭幅側壁板支持用スプライスプレート手段は、狭幅側壁板側ガセットプレート部及び下ガセットプレートの夫々を間にして挟持する少なくとも一対のスプライスプレートを夫々具備しており、一対のスプライスプレートは、狭幅側壁板支持用の共締め機構により狭幅側壁板側ガセットプレート部及び下ガセットプレートの夫々を挟圧している。
【００３３】
本発明の第二十三の態様の振動減衰装置では、第二十二の態様の振動減衰装置において、一対の狭幅側壁板支持用スプライスプレート手段の夫々のスプライスプレートは、狭幅側壁板側ガセットプレート部及び下ガセットプレートの夫々に対面する面に高摩擦面を有した高摩擦鋼板からなる。
【００３４】
本発明の第二十四の態様の振動減衰装置では、第一から第二十三のいずれかの態様の振動減衰装置において、抵抗板を建物壁における上支持手段に固定する上部固定手段を具備しており、抵抗板は、抵抗力発生部に連接していると共に箱体の外側に配されている抵抗板側ガセットプレート部を具備しており、上部固定手段は、抵抗板側ガセットプレート部に対して略同一鉛直面内に配されると共に、上支持手段に固着された上ガセットプレートと、抵抗板側ガセットプレート部及び上ガセットプレートの夫々に対面して配された抵抗板支持用スプライスプレート手段と、この抵抗板支持用スプライスプレート手段を底壁板側ガセットプレート部及び上ガセットプレートに共締めする抵抗板支持用の共締め機構とを具備している。
【００３５】
本発明の第二十五の態様の振動減衰装置では、第二十四の態様の振動減衰装置において、抵抗板支持用スプライスプレート手段は、抵抗板支持用の共締め機構により抵抗板側ガセットプレート部及び上ガセットプレートの夫々に少なくとも一面摩擦接合されて共締めされている。
【００３６】
本発明の第二十六の態様の振動減衰装置では、第二十四又は第二十五の態様の振動減衰装置において、抵抗板支持用スプライスプレート手段は、抵抗板側ガセットプレート部及び上ガセットプレートの夫々を間にして挟持する少なくとも一対の抵抗板支持用スプライスプレートを具備しており、この一対の抵抗板支持用スプライスプレートは、抵抗板支持用の共締め機構により上ガセットプレート及び抵抗板側ガセットプレート部の夫々を挟圧している。
【００３７】
本発明の第二十七の態様の振動減衰装置では、第二十四又は第二十五の態様の振動減衰装置において、抵抗板支持用スプライスプレート手段は、水平方向に並置されていると共に、夫々抵抗板側ガセットプレート部と上ガセットプレートとをその両側面から挟持した複数枚の抵抗板支持用スプライスプレートを具備しており、抵抗板支持用スプライスプレートは、抵抗板側ガセットプレート部及び上ガセットプレートに抵抗板支持用の共締め機構により共締めされている。
【００３８】
本発明の第二十八の態様の振動減衰装置では、第二十七の態様の振動減衰装置において、複数枚の抵抗板支持用スプライスプレートは、夫々互いに離間して水平方向に配列されており、水平方向両端の抵抗板支持用スプライスプレートの夫々は、主として抵抗板の鉛直面内の曲げモーメントに抗するようになっており、水平方向両端の抵抗板支持用スプライスプレートの間に配された抵抗板支持用スプライスプレートは、主として抵抗板の水平方向力に抗するようになっている。
【００３９】
本発明の第二十九の態様の振動減衰装置では、第二十六から第二十八の態様の振動減衰装置において、抵抗板支持用スプライスプレートの夫々は、抵抗板側ガセットプレート部及び上ガセットプレートの夫々に対面する面に高摩擦面を有した高摩擦鋼板からなる。
【００４０】
本発明の第三十の態様の振動減衰装置では、第十四から第二十九のいずれかの態様の振動減衰装置において、共締め機構の夫々は、少なくとも一つの高力ボルトと、高力ボルトに螺合している少なくとも一つのナットとを具備しており、高力ボルト及びナットの相対的な回転に基づいて共締め及び共締めの解除を行うようになっている。
【発明の効果】
【００４１】
本発明によれば、組み立て精度の高い箱体を簡単に且つ速やかに形成することのできる振動減衰装置を提供し得る。
【発明を実施するための最良の形態】
【００４２】
次に、本発明の実施の形態の例を、図に示す好ましい例に基づいて更に詳細に説明する。尚、本発明はこれら例に何等限定されないのである。
【実施例１】
【００４３】
図１から図１５において、本例の振動減衰装置としての制震壁１は、上部２で開口している箱体３と、箱体３を建物壁における下支持手段４に固定する下部固定手段５と、箱体３に対して隙間６をもって当該箱体３内に配されている抵抗力発生部７を有している抵抗板８と、抵抗板８を建物壁における上支持手段９に固定する上部固定手段１０と、箱体３と抵抗板８との隙間６に充填された粘性体１１とを具備している。
【００４４】
下支持手段４は、本例では、補強リブプレート５１と、建物の所定階の床側に配されていると共に補強リブプレート５１が溶接等により固着されたＨ型鋼からなる下大梁５２とを具備している。下大梁５２は、上端フランジプレート５３を有している。
【００４５】
上支持手段９は、本例では、補強リブプレート５４と、建物の所定階の天井側に配されていると共に補強リブプレート５４が溶接等により固着されたＨ型鋼からなる上大梁５５とを具備しており、上大梁５５は、下端フランジプレート５６を有している。
【００４６】
箱体３は、互いに対向している一対の広幅側壁板２１及び２２と、広幅側壁板２１及び２２の夫々の横方向（水平方向）Ｘにおける一方側の内側面２４及び２５に当接している当接面２６及び２７を有している狭幅側壁板２８と、横方向Ｘで狭幅側壁板２８に対向していると共に、広幅側壁板２１及び２２の夫々の内側面２４及び２５とは反対側に位置している横方向Ｘにおける他方側の内側面２９及び３０に当接している当接面３１及び３２を有している狭幅側壁板３３と、広幅側壁板２１及び２２の夫々の下方側の内側面３４及び３５に当接している当接面３６及び３７を有している底壁板３８と、一対の狭幅側壁板２８及び３３並びに底壁板３８を広幅側壁板２１及び２２に固定している固定手段３９と、横方向Ｘに直交する縦方向（鉛直方向）Ｙに所定間隔をもって夫々配されていると共に広幅側壁板２１及び２２に溶接固着されて当該広幅側壁板２１及び２２の夫々を補強している溝型鋼からなる複数の補強部材２３と、狭幅側壁板２８及び３３並びに広幅側壁板２１及び２２の上端に固着されたＬ型鋼からなる開口形成部材４０及び４１と、横方向Ｘ及び縦方向Ｙに直交する方向Ｚにおける広幅側壁板２１及び２２間の所定間隔を保持する複数の間隔保持手段４２と、底壁板３８並びに広幅側壁板２１及び２２に固着されていると共に、横方向Ｘに所定間隔をもって配された複数の補強リブプレート４３とを具備している。
【００４７】
広幅側壁板２１及び２２は、狭幅側壁板２８及び３３よりも横方向Ｘに幅広であり、方向Ｚで狭幅側壁板２８及び３３を固定手段３９を介して橋絡している。広幅側壁板２１の内側面２４と広幅側壁板２２の内側面２５とは、方向Ｚで互いに対面しており、広幅側壁板２１の内側面２９と広幅側壁板２２の内側面３０とは、方向Ｚで互いに対面しており、広幅側壁板２１の内側面３４と広幅側壁板２２の内側面３５とは、方向Ｚで互いに対面している。尚、内側面２４、２５、２９及び３０並びに内側面３４及び３５の夫々は、高摩擦面からなっていてもよく、斯かる高摩擦面は、例えば、縦方向Ｙに配列されていると共に各々が横方向Ｘに伸びた複数の凹凸面又は横方向Ｘに配列されていると共に各々が縦方向Ｙに伸びた複数の凹凸面からなっていてもよい。
【００４８】
狭幅側壁板２８は、縦長矩形の板状本体６２を具備しており、板状本体６２は、当接面２６及び２７を有している部位６１と、部位６１に連接していると共に広幅側壁板２１及び２２の間から横方向Ｘに突出している突出部６１ａとを具備している。狭幅側壁板３３は、縦長矩形の板状本体６４を具備しており、板状本体６４は、当接面３１及び３２を有している部位６３と、部位６３に連接していると共に広幅側壁板２１及び２２の間から横方向Ｘに突出している突出部６３ａとを具備している。狭幅側壁板２８及び３３は、広幅側壁板２１及び２２よりも横方向Ｘに幅狭である。
【００４９】
板状本体６２及び６４は、部位６１及び６３で一対の広幅側壁板２１及び２２に挟持されている。板状本体６２及び６４の夫々は、広幅側壁板２１及び２２よりも縦方向Ｙに長くなるように構成されていると共に、広幅側壁板２１及び２２よりも下方に突出して配されている。板状本体６２及び６４の下面６７及び６８の夫々は、底壁板３８の下面６９と面一である。突出部６１ａ及び６３ａの下部は、本例では、下大梁５２に下部固定手段５を介して固定される狭幅側壁板側ガセットプレート部６５及び６６として夫々構成されている。狭幅側壁板側ガセットプレート部６５及び６６は、下ガセットプレート１０１に対して略同一鉛直面内に夫々配されている。尚、当接面２６、２７、３１及び３２の夫々は、高摩擦面からなっていてもよく、斯かる場合には、当接面２６、２７、３１及び３２の夫々は、内側面２４、２５、２９及び３０の夫々の形状に対応するように、例えば、縦方向Ｙに配列されていると共に各々が横方向Ｘに伸びた複数の凹凸面又は横方向Ｘに配列されていると共に各々が縦方向Ｙに伸びた複数の凹凸面からなっていてもよい。
【００５０】
底壁板３８は、横長矩形の板状本体７１を具備しており、板状本体７１は、当接面３６及び３７を有している部位と、この部位に連接していると共に広幅側壁板２１及び２２の間から下方に突出している突出部とを具備しており、当該突出部は、本例では、下大梁５２に下部固定手段５を介して固定される底壁板側ガセットプレート部７６として構成されている。尚、当接面３６及び３７の夫々は、高摩擦面からなっていてもよく、斯かる場合には、当接面３６及び３７の夫々は、内側面３４及び３５の夫々の形状に対応するように、例えば、縦方向Ｙに配列されていると共に各々が横方向Ｘに伸びた複数の凹凸面又は横方向Ｘに配列されていると共に各々が縦方向Ｙに伸びた複数の凹凸面からなっていてもよい。
【００５１】
板状本体７１の横方向Ｘにおける狭幅側壁板２８側の端面７２は、狭幅側壁板２８の狭幅側壁板３３側における端面７３の下部に接触している。板状本体７１の横方向Ｘにおける狭幅側壁板３３側の端面７４は、狭幅側壁板３３の狭幅側壁板２８側における端面７５の下部に接触している。底壁板側ガセットプレート部７６は、下ガセットプレート１０１に対して略同一鉛直面内に配されている。
【００５２】
間隔保持手段４２の夫々は、特に図７に示すように、広幅側壁板２１及び２２を貫通したボルト８１と、ボルト８１に螺着されたナット８２と、ボルト８１が挿通されて広幅側壁板２１及び２２との間に配された円筒カラー８３とを具備しており、円筒カラー８３によって広幅側壁板２１及び２２間の方向Ｚにおける所定間隔を保持するようになっている。
【００５３】
固定手段３９は、本例では、広幅側壁板２１及び２２により狭幅側壁板２８を挟圧する挟圧力、広幅側壁板２１及び２２により狭幅側壁板３３を挟圧する挟圧力並びに広幅側壁板２１及び２２により底壁板３８を挟圧する挟圧力を生じさせるように、狭幅側壁板２８及び３３並びに底壁板３８と広幅側壁板２１及び２２とを解除自在に共締めする共締め手段９１を具備している。
【００５４】
共締め手段９１は、広幅側壁板２１の内側面２４により狭幅側壁板２８の当接面２６を押圧する押圧力と広幅側壁板２２の内側面２５により狭幅側壁板２８の当接面２７を押圧する押圧力とを生じさせるように、広幅側壁板２１及び２２並びに狭幅側壁板２８を共締めする共締め機構９２と、広幅側壁板２１の内側面２９により狭幅側壁板３３の当接面３１を押圧する押圧力と広幅側壁板２２の内側面３０により狭幅側壁板３３の当接面３２を押圧する押圧力とを生じさせるように、広幅側壁板２１及び２２並びに狭幅側壁板３３を共締めする共締め機構９３と、広幅側壁板２１の下方側の内側面３４により底壁板３８の当接面３６を押圧する押圧力と広幅側壁板２２の下方側の内側面３５により底壁板３８の当接面３７を押圧する押圧力とを生じさせるように、広幅側壁板２１及び２２並びに底壁板３８を共締めする共締め機構９４とを具備している。共締め手段９１は、共締め機構９２による共締めによって生じる押圧力の夫々に基づいて広幅側壁板２１及び２２による狭幅側壁板２８の挟圧力を生じさせ、共締め機構９３による共締めによって生じる押圧力の夫々に基づいて広幅側壁板２１及び２２による狭幅側壁板３３の挟圧力を生じさせ、且つ、共締め機構９４による共締めによって生じる押圧力の夫々に基づいて広幅側壁板２１及び２２による底壁板３８の挟圧力を生じさせるようになっている。共締め機構９２、９３及び９４により共締めされる広幅側壁板２１及び２２と狭幅側壁板２８及び３３並びに底壁板３８とは、夫々互いに摩擦接合するようになっている。
【００５５】
共締め機構９２、９３及び９４は、本例では、頭部が広幅側壁板２１側に配されていると共に方向Ｚに伸びる螺合部が広幅側壁板２１及び２２並びに狭幅側壁板２８若しくは３３又は底壁板３８に挿通されている複数のボルト９５と、広幅側壁板２２側に配されていると共にボルト９５の夫々の螺合部に螺合している複数のナット９６とを夫々具備している。ボルト９５は、高力ボルト、高張力ボルト等により具体化されてもよく、斯かる場合には、ナット９６は、ボルト９５の強度に対応する強度を有しているのが好ましい。尚、配設されるボルト９５及びナット９６の個数は、箱体３が当該箱体３内に収容される粘性体１１から受ける圧力に応じて適宜決定される。
【００５６】
共締め機構９２、９３及び９４の夫々は、互いに螺合しているボルト９５及びナット９６を一の方向に相対的に回転させて近接させることにより広幅側壁板２１及び２２、狭幅側壁板２８及び３３並びに底壁板３８を共締めするようになっている。共締め機構９２、９３及び９４の夫々により広幅側壁板２１及び２２、狭幅側壁板２８及び３３並びに底壁板３８を共締めしている場合には、ボルト９５の頭部は広幅側壁板２１の外側の側面２１ａに、ナット９６は広幅側壁板２２の外側の側面２２ａに夫々圧接する。また、共締め機構９２、９３及び９４の夫々は、互いに螺合しているボルト９５及びナット９６を一の方向とは逆の方向に相対的に回転させて離反させることにより広幅側壁板２１及び２２、狭幅側壁板２８及び３３並びに底壁板３８に対する共締めを解除するようになっている。
【００５７】
以上の共締め手段９１によれば、狭幅側壁板２８及び３３に広幅側壁板２１及び２２からの挟圧力を与えることで、広幅側壁板２１及び２２、狭幅側壁板２８及び３３並びに底壁板３８の位置決めを容易にし得て、組み立て精度の向上を図ることができ、また、広幅側壁板２１及び２２の内側の側面２１ｂ及び２２ｂに対して粘性体１１から与えられる方向Ｚにおける圧力に対する大きな抗力（挟圧力）を生じさせることができ、従って、抵抗板８及び箱体３の相対的水平変位によって生じる粘性体１１の所望の粘性剪断変形を生じさせ得る。また、共締め手段９１は、本例では、解除自在な共締めを行う共締め機構９２、９３及び９４を具備しているために、箱体３の仮組み立て及び分解を容易に行うことができ、従って、組み立て精度の高い箱体３を簡単に且つ速やかに組み立て得る。尚、箱体３の仮組み立てを終えた後に、当該仮組み立てにより位置決めされた狭幅側壁板２８及び３３並びに底壁板３８を広幅側壁板２１及び２２に夫々溶接することで、剪断耐力がより増大された箱体３を構成し得る。
【００５８】
下部固定手段５は、本例では、狭幅側壁板側ガセットプレート部６５及び６６並びに底壁板側ガセットプレート部７６の夫々に対して略同一鉛直面内に配されていると共に、下支持手段４の上端フランジプレート５３に溶接等により固着された下ガセットプレート１０１と、狭幅側壁板側ガセットプレート部６５及び下ガセットプレート１０１の夫々に対面して配された狭幅側壁板支持用スプライスプレート手段１０２と、狭幅側壁板支持用スプライスプレート手段１０２を狭幅側壁板側ガセットプレート部６５及び下ガセットプレート１０１に共締めする狭幅側壁板支持用の共締め機構１０３と、横方向（水平方向）Ｘで狭幅側壁板支持用スプライスプレート手段１０２に対向していると共に、狭幅側壁板側ガセットプレート部６６及び下ガセットプレート１０１の夫々に対面して配された狭幅側壁板支持用スプライスプレート手段１０４と、狭幅側壁板支持用スプライスプレート手段１０４を狭幅側壁板側ガセットプレート部６６及び下ガセットプレート１０１に共締めする狭幅側壁板支持用の共締め機構１０５と、底壁板側ガセットプレート部７６及び下ガセットプレート１０１の夫々に対面して配された底壁板支持用スプライスプレート手段１０６と、底壁板支持用スプライスプレート手段１０６を底壁板側ガセットプレート部７６及び下ガセットプレート１０１に共締めする底壁板支持用の共締め機構１０７とを具備している。
【００５９】
一対の狭幅側壁板支持用スプライスプレート手段１０２及び１０４並びに底壁板支持用スプライスプレート支持手段１０６は、夫々互いに離間して水平方向、本例では横方向Ｘに配列されている。狭幅側壁板支持用スプライスプレート手段１０２及び１０４間には、底壁板支持用スプライスプレート手段１０６が配されている。
【００６０】
狭幅側壁板支持用スプライスプレート手段１０２及び１０４の夫々並びに共締め機構１０３及び１０５の夫々は、互いに同様に構成されているので、以下、狭幅側壁板支持用スプライスプレート手段１０２及び共締め機構１０３について詳細に説明し、狭幅側壁板支持用スプライスプレート手段１０４及び共締め機構１０５については、狭幅側壁板支持用スプライスプレート手段１０２及び共締め機構１０３と同符号を付してその詳細な説明を省略する。
【００６１】
狭幅側壁板支持用スプライスプレート手段１０２は、本例では、狭幅側壁板側ガセットプレート部６５及び下ガセットプレート１０１の夫々を間にして挟持する一対のスプライスプレート１１１を具備しており、一対のスプライスプレート１１１は、共締め機構１０３により狭幅側壁板側ガセットプレート部６５及び下ガセットプレート１０１の夫々を挟圧している。狭幅側壁板支持用スプライスプレート手段１０２は、共締め機構１０３により狭幅側壁板側ガセットプレート部６５及び下ガセットプレート１０１の夫々に少なくとも一面摩擦接合、本例では二面摩擦接合されて共締めされている。
【００６２】
一対のスプライスプレート１１１は、特に図１１の（ａ）及び（ｂ）に示すように、狭幅側壁板側ガセットプレート部６５及び下ガセットプレート１０１の夫々に対面する面に高摩擦面１１３を有した縦長矩形状の高摩擦鋼板１１１ａ及び１１１ｂを夫々具備している。高摩擦面１１３は、本例では、主として箱体３の鉛直面内の曲げモーメントに抗するように、主として鉛直方向力に対して高摩擦抵抗を発現するようになっており、具体的には、縦方向Ｙに配列されていると共に各々が横方向Ｘに伸びた複数の凹凸面１１３ａからなる。
【００６３】
共締め機構１０３は、本例では、複数の高力ボルト１１５と、高力ボルト１１５に螺合している複数のナット１１６とを具備しており、高力ボルト１１５及びナット１１６の相対的な回転に基づいて共締め及び共締めの解除を行うようになっている。ナット１１６は、高力ボルト１１５の強度に対応する強度を有しているのが好ましい。
【００６４】
以上の狭幅側壁板支持用スプライスプレート手段１０２によれば、抵抗板８及び箱体３の相対的水平変位に基づいて生じ得る箱体３の鉛直面内の曲げモーメントに対する抗力を主として生じさせて、箱体３を下支持手段４に対して好適に固定し得る。尚、狭幅側壁板支持用スプライスプレート手段１０４もまた、狭幅側壁板支持用スプライスプレート手段１０２と同様に構成されて、抵抗板８及び箱体３の相対的水平変位に基づいて生じ得る箱体３の鉛直面内の曲げモーメントに対する抗力を主として生じさせて、箱体３を下支持手段４に対して好適に固定し得る。
【００６５】
底壁板支持用スプライスプレート手段１０６は、本例では、底壁板側ガセットプレート部７６及び下ガセットプレート１０１の夫々を間にして挟持する少なくとも一対のスプライスプレート、本例では、三対のスプライスプレート１２１、１２２及び１２３を具備している。
【００６６】
三対のスプライスプレート１２１、１２２及び１２３は、互いに離間して水平方向、本例では横方向Ｘに配列されている。各対のスプライスプレート１２１、１２２及び１２３は、共締め機構１０７により底壁板側ガセットプレート部７６及び下ガセットプレート１０１の夫々に少なくとも一面摩擦接合、本例では二面摩擦接合されて共締めされている。各対のスプライスプレート１２１、１２２及び１２３は、共締め機構１０７により共締めされることによって底壁板側ガセットプレート部７６及び下ガセットプレート１０１の夫々に挟圧力を与えている。
【００６７】
一対のスプライスプレート１２１は、特に図１２の（ａ）及び（ｂ）に示すように、底壁板側ガセットプレート部７６及び下ガセットプレート１０１の夫々に対面する面に高摩擦面１２４を有した横長矩形状の高摩擦鋼板１２１ａ及び１２１ｂを夫々具備しており、一対のスプライスプレート１２３は、特に図１３の（ａ）及び（ｂ）に示すように、底壁板側ガセットプレート部７６及び下ガセットプレートの夫々に対面する面に高摩擦面１２４を有した横長矩形状の高摩擦鋼板１２３ａ及び１２３ｂからなる。尚、一対のスプライスプレート１２２は、一対のスプライスプレート１２１と同様に構成されているので、その詳細な説明を省略する。
【００６８】
高摩擦面１２４は、主として箱体３の水平方向力に抗するように、主として水平方向力に対して高摩擦抵抗を発現するようになっており、横方向Ｘに配列されていると共に、各々が縦方向Ｙに伸びた複数の凹凸面からなる。
【００６９】
共締め機構１０７は、共締め機構１０３及び１０５と同様に構成されているので、共締め機構１０３と同符号を付してその詳細な説明を省略する。
【００７０】
以上の下部固定手段５によれば、高摩擦面１１３及び１２４を介して夫々共締め機構１０３、１０５及び１０７により狭幅側壁板側ガセットプレート部６５及び６６並びに下ガセットプレート１０１とスプライスプレート１１１、１２１、１２２及び１２３とを相互に二面摩擦接合させているために、共締め機構１０３、１０５及び１０７による剪断耐力を増大でき、共締め機構１０３、１０５及び１０７の高力ボルト１１５及びナット１１６の個数を低減させ得る。
【００７１】
板状の抵抗板８は、抵抗力発生部７が設けられている横方向Ｘに幅広の抵抗板本体１３１と、抵抗板本体１３１と広幅側壁板２１及び２２との間の所定の隙間６を保持する複数個の隙間保持手段１３２とを具備している。
【００７２】
抵抗板本体１３１は、抵抗力発生部７に連接していると共に箱体３の外側に配されている抵抗板側ガセットプレート部１３３を具備している。抵抗板側ガセットプレート部１３３は、抵抗力発生部７の上方に配されている。抵抗板本体１３１は、広幅側壁板２１及び２２に対して抵抗板本体１３１が相対的に移動できるように、円筒カラー８３の夫々を取り囲んでいる複数の長円形の貫通孔１３４が穿孔されている。
【００７３】
隙間保持手段１３２の夫々は、特に図８に示すように、抵抗板本体１３１を貫通して当該抵抗板本体１３１に取り付けられた両鍔１３５及び１３６付き隙間保持部材１３７を具備しており、隙間保持部材１３７は、鍔１３５及び１３６において広幅側壁板２１及び２２に摺動自在に接触して、抵抗板本体１３１と広幅側壁板２１及び２２との間の隙間６を保持している。
【００７４】
上部固定手段１０は、抵抗板側ガセットプレート部１３３に対して略同一鉛直面内に配されると共に、上支持手段９の下端フランジプレート５６に固着された上ガセットプレート１３８と、抵抗板側ガセットプレート部１３３及び上ガセットプレート１３８の夫々に対面して配された抵抗板支持用スプライスプレート手段１３９と、この抵抗板支持用スプライスプレート手段１３９を抵抗板側ガセットプレート部１３３及び上ガセットプレート１３８に共締めする抵抗板支持用の共締め機構１４０と、上ガセットプレート１３８の水平方向両端及び下端フランジプレート５６に夫々溶接等により固着された一対の側端上フランジプレート１３８ａ及び１３８ｂと、上ガセットプレート１３８の側面に夫々溶接等により固着された複数の補強リブプレート１３８ｃとを具備している。
【００７５】
抵抗板支持用スプライスプレート手段１３９は、本例では、抵抗板側ガセットプレート部１３３及び上ガセットプレート１３８の夫々を間にして挟持する少なくとも一対の抵抗板支持用スプライスプレート、本例では、三対のスプライスプレート１４１、１４２及び１４３を具備しており、三対の抵抗板支持用スプライスプレート１４１、１４２及び１４３は、共締め機構１４０により抵抗板側ガセットプレート部１３３及び上ガセットプレート１３８の夫々を挟圧している。抵抗板支持用スプライスプレート手段１３９は、共締め機構１４０により抵抗板側ガセットプレート部１３３及び上ガセットプレート１３８の夫々に少なくとも一面摩擦接合、本例では二面摩擦接合されて共締めされている。
【００７６】
三対のスプライスプレート１４１、１４２及び１４３は、夫々互いに離間して水平方向、本例では横方向Ｘに配列されていると共に、夫々抵抗板側ガセットプレート部１３３と上ガセットプレート１３８とをその両側面から挟持している。水平方向両端の抵抗板支持用スプライスプレート１４１及び１４３は、主として抵抗板８の鉛直面内の曲げモーメントに抗するように夫々構成されている。水平方向両端の抵抗板支持用スプライスプレート１４１及び１４３の間に配された抵抗板支持用スプライスプレート１４２は、主として抵抗板８の水平方向力に抗するように構成されている。
【００７７】
抵抗板支持用スプライスプレート１４１は、抵抗板側ガセットプレート部１３３及び上ガセットプレート１３８の夫々に対面する面に高摩擦面１４４を有した高摩擦鋼板１４５ａ及び１４５ｂを夫々具備している。高摩擦面１４４は、主として抵抗板本体１３１の鉛直面内の曲げモーメントに抗するように、主として鉛直方向力に対して高摩擦抵抗を発現するようになっており、具体的には、図１４の（ａ）及び（ｂ）に示すように、縦方向Ｙに配列されていると共に、各々が横方向Ｘに伸びた複数の凹凸面１４４ａからなる。尚、抵抗板支持用スプライスプレート１４３は、抵抗板支持用スプライスプレート１４１と同様に構成されているので、その詳細な説明を省略する。
【００７８】
抵抗板支持用スプライスプレート１４２は、特に図１５の（ａ）及び（ｂ）に示すように、抵抗板側ガセットプレート部１３３及び上ガセットプレート１３８の夫々に対面する面に高摩擦面１４６を有した高摩擦面１４７ａ及び１４７ｂを具備している。高摩擦面１４６は、主として抵抗板本体１３１の水平方向力に抗するように、主として水平方向力に対して高摩擦抵抗を発現するようになっており、具体的には、横方向Ｘに配列されていると共に、各々が縦方向Ｙに伸びた複数の凹凸面１４６ａからなる。
【００７９】
共締め機構１４０は、共締め機構１０３、１０５及び１０７と同様に構成されているので、その詳細な説明を省略する。
【００８０】
以上の上部固定手段１０によれば、抵抗板側ガセットプレート部１３３と上ガセットプレート１３８とを、高摩擦面１４４及び１４６を介して夫々共締め機構１４０により二面摩擦接合させて共締めしているために、共締め機構１４０による剪断耐力を増大でき、共締め機構１４０の高力ボルト１１５及びナット１１６の個数を低減できる。
【００８１】
以上の制震壁１は、地震や風、交通振動等の振動に際して、箱体３と抵抗板８との間の相対的水平変位において箱体３内に収容された粘性体１１に粘性剪断変形を生じさせて、この粘性剪断変形による減衰力により地震や風、交通振動等の振動を減衰させる。
【００８２】
本例の制震壁１によれば、上部２で開口している一個の箱体３と、箱体３を建物壁における下支持手段４に固定する下部固定手段５と、箱体３に対して隙間６をもって当該箱体３内に配されている抵抗力発生部７を有している一枚の抵抗板８と、抵抗板８を建物壁における上支持手段９に固定する上部固定手段１０と、箱体３と抵抗板８との隙間６に充填された粘性体１１とを具備しており、箱体３は、互いに対向している一対の広幅側壁板２１及び２２と、広幅側壁板２１及び２２の夫々の横方向Ｘにおける一方側の内側面２４及び２５に当接している当接面２６及び２７を有している狭幅側壁板２８と、横方向Ｘで狭幅側壁板２８に対向していると共に、広幅側壁板２１及び２２の夫々の横方向Ｘにおける他方側の内側面２９及び３０に当接している当接面３１及び３２を有している狭幅側壁板３３と、広幅側壁板２１及び２２の夫々の下方側の内側面３４及び３５に当接している当接面３６及び３７を有している底壁板３８と、一対の狭幅側壁板２８及び３３並びに底壁板３８を一対の広幅側壁板２１及び２２に固定している固定手段３９とを具備しており、固定手段３９は、一対の広幅側壁板２１及び２２により狭幅側壁板２８を挟圧する挟圧力、一対の広幅側壁板２１及び２２により狭幅側壁板３３を挟圧する挟圧力及び一対の広幅側壁板２１及び２２により底壁板３８を挟圧する挟圧力を生じさせるように、一対の狭幅側壁板２８及び３３並びに底壁板３８と一対の広幅側壁板２１及び２２とを共締めする共締め手段９１を具備しており、共締め手段９１による共締めにより狭幅側壁板２８及び３３並びに底壁板３８を一対の広幅側壁板２１及び２２に固定するようになっているために、共締め手段９１による共締めによって挟圧力を生じさせて一対の広幅側壁板２１及び２２に狭幅側壁板２８及び３３並びに底壁板３８を固定して箱体３を組み立てることができ、而して、組み立て精度の高い箱体３を簡単に且つ速やかに形成することができ、共締め手段９１が、少なくとも一つのボルト９５と、ボルト９５に螺合している少なくとも一つのナット９６とを具備しており、ボルト９５及びナット９６の相対的な回転に基づいて共締め及び共締めの解除を行うようになっているために、ボルト９５及びナット９６の相対的な回転により所望の挟圧力をもって一対の広幅側壁板２１及び２２に狭幅側壁板２８及び３３や底壁板３８を簡単に且つ速やかに解除自在に固定することができ、また、一旦組み立てた箱体３の分解及び再度の組み立ても容易に行い得る。
【００８３】
尚、本例の制震壁１は、箱体３及び抵抗板８に代えて、方向Ｚで並んで配された複数個の箱体及び複数枚の抵抗板を具備していてもよく、例えば図１６に示すように、方向Ｚで互いに隣接している箱体１５１及び１５２と、抵抗力発生部７が箱体１５１内に隙間６をもって配されている抵抗板１５３及び抵抗力発生部７が箱体１５２内に隙間６をもって配されている抵抗板１５４とを具備していてもよく、斯かる場合には、互いに隣接している箱体１５１及び１５２は、抵抗板１５３の抵抗力発生部７が配されている箱体１５１内の空間を側面１５５ａで規定していると共に抵抗板１５４の抵抗力発生部７が配されている箱体１５２内の空間を側面１５５ａに対向する側面１５５ｂで規定している一枚の広幅側壁板１５５を共有しているのが好ましい。
【００８４】
また、本例の制震壁１は、狭幅側壁板２８及び３３の少なくとも一方に代えて、例えば図１７に示すように、制震壁１の広幅側壁板２１及び２２間に配される部位６１と、制震壁１と同様に構成された他の制震壁１６１の広幅側壁板２１及び２２間に配される部位６３とを有している狭幅側壁板１６２を具備していてもよい。
【００８５】
更に、本例の制震壁１は、狭幅側壁板２８及び３３の少なくとも一方に変えて、一対の広幅側壁板２１及び２２の間から横方向Ｘに突出していない狭幅側壁板を具備していてもよい。
【００８６】
加えて、広幅側壁板２１及び２２と狭幅側壁板２８及び３３並びに底壁板３８との間のいずれかに又は狭幅側壁板側ガセットプレート部６５及び６６、底壁板側ガセットプレート部７６、抵抗板側ガセットプレート部１３３、下ガセットプレート１０１並びに上ガセットプレート１３８とスプライスプレート１１１、１２１、１２２、１２３、１４１、１４２及び１４３との間のいずれかに適宜高摩擦鋼板からなるフィラープレート（はさみ板）を介在させて、製造、施工誤差を吸収、補正するようにしてもよい。また、ボルト９５が挿通される広幅側壁板２１及び２２の夫々の貫通孔又は狭幅側壁板２８及び３３並びに底壁板３８の夫々の貫通孔は、これらの位置決め調節を容易に行えるように、ボルト９５の螺合部に対して若干クリアランスをもった径を有して形成されていてもよく、高力ボルト１１５が挿通される狭幅側壁板側ガセットプレート部６５及び６６、底壁板側ガセットプレート部７６、抵抗板側ガセットプレート部１３３、下ガセットプレート１０１並びに上ガセットプレート１３８の夫々の貫通孔又はスプライスプレート１１１、１２１、１２２、１２３、１４１、１４２及び１４３の夫々の貫通孔は、これらの位置決め調節を容易に行えるように、高力ボルト１１５の螺合部に対して若干クリアランスをもった径を有して形成されていてもよい。
【実施例２】
【００８７】
図１８の（ａ）、（ｂ）及び（ｃ）において、本例の振動減衰装置としてのブレース型ダンパ２０１は、上部２０２で開口している箱体２０３及び２０４と、箱体２０３及び２０４を建物壁における下支持手段４に固定する下部固定手段（図示せず）と、箱体２０３及び２０４に対して隙間２０６をもって当該箱体２０３及び２０４内に配されている抵抗力発生部２０７を夫々有している縦長矩形の抵抗板２０８及び２０９と、抵抗板２０８及び２０９を建物壁における上支持手段９に固定する上部固定手段（図示せず）と、箱体２０３及び抵抗板２０８の隙間２０６並びに箱体２０４及び抵抗板２０９の隙間２０６に充填された粘性体２１１とを具備している。
【００８８】
箱体２０３は、上述の広幅側壁板２１と同様に構成されている縦長矩形の広幅側壁板２２１と、箱体２０４と共有の広幅側壁板２２３と、上述の狭幅側壁板２８及び３３（狭幅側壁板側ガセットプレート部６５及び６６を除く。）と同様に構成されている狭幅側壁板２２８及び２３３と、上述の底壁板３８（底壁板側ガセットプレート部を除く。）と同様に構成されている底壁板２３８と、上述の固定手段３９と同様に構成されている固定手段２３９とを具備している。
【００８９】
箱体２０４は、上述の広幅側壁板２２と同様に構成されている縦長矩形の広幅側壁板２２２と、箱体２０３と共有の広幅側壁板２２３と、上述の狭幅側壁板２８及び３３（狭幅側壁板側ガセットプレート部６５及び６６を除く。）と同様に構成されている狭幅側壁板２４１及び２４２と、上述の底壁板３８（底壁板側ガセットプレート部を除く。）と同様に構成されている底壁板２４３と、上述の固定手段３９と同様に構成されている固定手段２４４とを具備している。尚、底壁板２３８及び２４３の間には、下部固定手段のガセットプレートが配されている。
【００９０】
縦長矩形の広幅側壁板２２３は、本例では、広幅側壁板２２１及び２２２間に配されていると共に広幅側壁板２２１及び２２２よりも横方向Ｘに幅広である。広幅側壁板２２３は、粘性体２１１が配されている箱体２０３内の空間を規定している側面２２３ａと、粘性体２１１が配されている箱体２０４内の空間を規定している側面２２３ｂとを有している。
【００９１】
側面２２３ａの横方向Ｘにおける狭幅側壁板２２８及び２４１側の内側面２５１は、狭幅側壁板２２８の当接面２７に当接しており、側面２２３ａの横方向Ｘにおける狭幅側壁板２３３及び２４２側の内側面２５２は、狭幅側壁板２３３の当接面３２に当接している。
【００９２】
側面２２３ｂの横方向Ｘにおける狭幅側壁板２２８及び２４１側の内側面２５３は、狭幅側壁板２４１の当接面２６に当接しており、側面２２３ｂの狭幅側壁板２３３及び２４２側の内側面２５４は、狭幅側壁板２４２の当接面３１に当接している。
【００９３】
固定手段２３９及び２４４は、ボルト９５及びナット９６を共有しており、斯かるボルト９５及びナット９６により広幅側壁板２２１、２２２及び２２３と狭幅側壁板２２８、２３３、２４１及び２４２並びに底壁板２３８及び２４３とを共締めするようになっている。
【００９４】
以上のブレース型ダンパ２０１は、地震や風、交通振動等に基づく振動に際して、抵抗板２０８及び２０９と箱体２０３及び２０４と間の縦方向Ｙにおける相対的な変位において箱体２０３及び２０４内に収容された粘性体２１１に粘性剪断変形を生じさせて、この粘性剪断変形による減衰力により地震や風、交通振動等に基づく振動を減衰させる。本例のブレース型ダンパ２０１によれば、上述のような構成を具備しているために、制震壁１と同様の効果を奏し得る。
【００９５】
尚、本例のブレース型ダンパ２０１は、箱体２０３及び２０４並びに抵抗板２０８に代えて、例えば図１９の（ａ）、（ｂ）及び（ｃ）に示すように、互いに隣接している三個の箱体３０３及び三枚の抵抗板３０４を具備していてもよく、斯かる場合には、固定手段２３９（２４４）は、三個の箱体３０３に挿通されるボルト９５を具備しているのが好ましく、また、箱体２０３及び２０４並びに抵抗板２０８及び２０９に代えて、例えば図２０の（ａ）、（ｂ）及び（ｃ）に示すように、四個の箱体４０３及び四枚の抵抗板４０４を具備していてもよく、斯かる場合には、固定手段２３９（２４４）は、四個の箱体４０３に挿通されるボルト９５を具備しているのが好ましい。
【図面の簡単な説明】
【００９６】
【図１】実施例１の正面説明図である。
【図２】図１に示す例のＩＩ−ＩＩ線矢視説明図である。
【図３】図１に示す例のＩＩＩ−ＩＩＩ線断面説明図である。
【図４】図１に示す例の一方の広幅側壁板を除いた正面説明図である。
【図５】図１に示す例のＶ−Ｖ線断面説明図である。
【図６】図１に示す例の断面拡大説明図である。
【図７】図１に示す例のＶＩＩ−ＶＩＩ線断面説明図である。
【図８】図１に示す例のＶＩＩＩ−ＶＩＩＩ線断面説明図である。
【図９】図１に示す例の一部拡大説明図である。
【図１０】図１に示す例の一部拡大断面説明図である。
【図１１】（ａ）及び（ｂ）は、図１に示す例の主に高摩擦鋼板の説明図である。
【図１２】（ａ）及び（ｂ）は、図１に示す例の主に高摩擦鋼板の説明図である。
【図１３】（ａ）及び（ｂ）は、図１に示す例の主に高摩擦鋼板の説明図である。
【図１４】（ａ）及び（ｂ）は、図１に示す例の主に高摩擦鋼板の説明図である。
【図１５】（ａ）及び（ｂ）は、図１に示す例の主に高摩擦鋼板の説明図である。
【図１６】図１に示す例とは他の例の平断面説明図である。
【図１７】図１に示す例とは他の例の正面説明図である。
【図１８】（ａ）、（ｂ）及び（ｃ）は、実施例２の説明図である。
【図１９】（ａ）、（ｂ）及び（ｃ）は、図１８に示す例とは他の例の説明図である。
【図２０】（ａ）、（ｂ）及び（ｃ）は、図１８に示す例とは他の例の説明図である。
【符号の説明】
【００９７】
１、１６１  制震壁
３、１５１、１５２、２０３、２０４、３０３、４０３  箱体
４  下支持手段
５  下部固定手段
６、２０６  隙間
７、２０７  抵抗力発生部
８、１５３、１５４、２０８、２０９、３０４、４０４  抵抗板
９  上支持手段
１０  上部固定手段
１１、２１１  粘性体
２１、２２、１５５、２２１、２２２、２２３  広幅側壁板
２８、３３、１６２、２２８、２３３、２４１、２４２  狭幅側壁板
３８、２３８、２４３  底壁板
３９、２３９、２４４  固定手段
２０１  ブレース型ダンパ
【図１】
2005133855.tif 000003
【図２】
2005133855.tif 000004
【図３】
2005133855.tif 000005
【図４】
2005133855.tif 000006
【図５】
2005133855.tif 000007
【図６】
2005133855.tif 000008
【図７】
2005133855.tif 000009
【図８】
2005133855.tif 000010
【図９】
2005133855.tif 000011
【図１０】
2005133855.tif 000012
【図１１】
2005133855.tif 000013
【図１２】
2005133855.tif 000014
【図１３】
2005133855.tif 000015
【図１４】
2005133855.tif 000016
【図１５】
2005133855.tif 000017
【図１６】
2005133855.tif 000018
【図１７】
2005133855.tif 000019
【図１８】
2005133855.tif 000020
【図１９】
2005133855.tif 000021
【図２０】
2005133855.tif 000022